【手続補正書】
【提出日】平成15年4月22日(2003.4.22)
【手続補正１】
【補正対象書類名】明細書
【補正対象項目名】特許請求の範囲
【補正方法】変更
【補正の内容】
【特許請求の範囲】
【請求項１】
スクランブルされたコンテンツが暗号化された制御ワードとともに送信されるスクランブルされたコンテンツの送信及び記憶のための方法であって、制御ワードがスクランブルされたコンテンツを逆スクランブルするために使用され、
−スクランブルされたコンテンツと暗号化された制御ワードを受信機／デコーダに送信し、前記制御ワードが活用キー（ＫＧ）によって暗号化されるステップと、
−活用キー（ＫＧ）で削除可能セキュリティモジュール内で前記暗号化された制御ワードを復号し、前記削除可能セキュリティモジュールが受信機／デコーダによって受信されるステップと、を有し、
それがさらに、
−使用規則メッセージ（ＵＲＭ）を受信機／デコーダ（２０００）に送信し、使用規則（ＵＲＭ）が大容量記憶装置に記憶されるコンテンツのプレイバックに対する使用制限を課すステップと、
−復号された暗号化された制御ワード及び使用規則メッセージをローカルキー（ＫＬ）によって暗号化し、暗号化された制御管理メッセージ（ＣＭＭ）を作成するステップと、
−前記スクランブルされたコンテンツ及び暗号化された制御管理メッセージを受信機／デコーダの大容量記憶装置に記憶するステップと、をさらに有することを特徴とする方法。
【請求項２】
前記使用規則が、
−ビデオ録画に対する制限と、
−早送りに対する制限と、
−記憶されたコンテンツをプレイバックできる回数に対する制限と、
−使用可能な複製モードに対する制限と、のグループから選択される制約の少なくとも１つを課すことを特徴とする請求項１に記載の方法。
【請求項３】
前記使用規則メッセージが送信され、活用キーに同一であるか、あるいは活用キーとは異なる可能性がある第２の活用キーによって暗号化され、前記使用規則メッセージが、ローカルキーによって暗号化される前に復号されることを特徴とする請求項１または２のいずれか１つに記載の方法。
【請求項４】
それが、さらに、
−大容量記憶装置に記憶されるコンテンツを使用するという要求を受信するステップと、
−制御管理メッセージから制御ワード及び使用規則データを抽出するステップと、
−前記制御ワード及び使用規則データに応じて要求を確証するステップと、
を有することを特徴とする請求項１から３のいずれか１つに記載の方法。
【請求項５】
受信機／デコーダと、スクランブルされたコンテンツが暗号化された制御ワードとともに受信されるスクランブルされたコンテンツを記憶する削除可能なセキュリティモジュールの組み合わせであって、制御ワードがスクランブルされたコンテンツを逆スクランブルするために使用され、
−受信機／デコーダ内の大容量記憶装置と、
−スクランブルされたコンテンツと暗号化された制御ワードを受信する受信機／デコーダ内の手段であって、前記制御ワードが活用キー（ＫＧ）によって暗号化される手段と、
−活用キー（ＫＧ）で前記暗号化された制御ワードを復号する削除可能セキュリティモジュール内の手段と、を有し、
それがさらに、
−使用規則メッセージ（ＵＲＭ）を受信する受信機／デコーダ内の手段であって、使用規則（ＵＲＭ）が大容量記憶装置に記憶されるコンテンツのプレイバックに使用制限を課す手段と、
−暗号化された制御管理メッセージ（ＣＭＭ）を作成するために、前記制御ワード及び使用規則メッセージをローカルキー（ＫＬ）で暗号化する手段と、
−前記スクランブルされたコンテンツ及び暗号化されたコンテンツ管理メッセージを大容量記憶装置に渡す受信機／デコーダ内の手段と、をさらに有することを特徴とする組み合わせ。
【請求項６】
それがさらに、
−大容量記憶装置上のスクランブルされたコンテンツを読み取る、受信機／デコーダ内の手段と、
−大容量記憶装置上の暗号化された制御管理メッセージを読み取る手段と、
−暗号化されたコンテンツ管理情報を復号し、それによって規則及び制御ワードを作成する手段と、
−加入者により取得され、削除可能セキュリティモジュールか、受信機／デコーダ内部の安全な場所のどちらかに記憶される使用規則及び権利を比較するための受信機／デコーダ内のモジュールと、
−前記モジュールが、受信機／デコーダのユーザが番組を表示する権利を得ていると判断する場合に、スクランブルされたコンテンツを逆スクランブルできるようにする、受信機／デコーダ内の手段と、有することを特徴とする請求項５に記載の組み合わせ。
【請求項７】
−コンテンツを送信するステップと、
−コンテンツ管理情報及び条件付きアクセス情報を別々のパケットの形で送信し、前記コンテンツ管理情報が、大容量記憶装置での記憶後にコンテンツのプレイバック及び複製に使用制限を課すステップと、を有することを特徴とする大容量記憶装置を組み込んだ、あるいは大容量記憶装置とは別個に設けられる受信機／デコーダにコンテンツを送信する方法。
【請求項８】
前記コンテンツ管理情報が、
−ビデオ録画に対する制限と、
−早送りに対する制限と、
−レコーディングをプレイバックできる回数に対する制限と、
−使用可能な複製モードに対する制限と、のグループから制約の少なくとも１つを課すことを特徴とする請求項７に記載の方法。
【請求項９】
前記コンテンツがスクランブルされた形で送信されることと、前記コンテンツ管理情報が、条件付きアクセス情報を暗号化するために使用される暗号化キーと同じキーまたは異なるキーである場合がある活用キーで暗号化されることを特徴とする請求項７と８のいずれか１つに記載の方法。
【請求項１０】
それがさらに、条件付きアクセス情報を受信するステップと、コンテンツ管理情報を受信するステップと、受信された条件付きアクセス情報とコンテンツ管理情報を結合し、１つの結合されたデータ単位を結合するステップとを有することをとく長とする請求項７から９のいずれか１つに記載の方法。
【請求項１１】
大容量記憶装置と削除可能セキュリティモジュールを組み込んだ、あるいは大容量記憶装置と削除可能セキュリティモジュールとは別々に設けられる受信機／デコーダの組み合わせであって、前記組み合わせがスクランブルされたコンテンツを受信する手段と、条件付きアクセスメッセージを受信する手段と有し、前記条件付きアクセスメッセージが暗号化された形の制御ワードを含み、前記制御ワードがスクランブルされたコンテンツの逆スクランブルに使用され、それがさらに使用規則メッセージを受信する手段を有し、前記使用規則メッセージ及び前記条件付きアクセスメッセージが別々のパケットの形を取り、前記使用規則メッセージが前記大容量記憶装置での記憶後にコンテンツのプレイバックに使用制限を課し、前記制御ワードと使用規則データをローカルキーにより暗号化し、それにより制御管理メッセージを作成する手段と、前記制御管理メッセージを大容量記憶装置に渡す手段とを有することを特徴とする組み合わせ。
【請求項１２】
大容量記憶装置に記憶されるコンテンツを使用するという要求を受信する手段と、条件付きアクセス情報とコンテンツ管理情報を有する制御管理メッセージを大容量記憶装置から受信する手段と、条件付きアクセス情報とコンテンツ管理情報を制御管理メッセージから抽出する手段と、条件付きアクセス情報とコンテンツ管理情報に応じて要求を確証する手段とを有することを特徴とする請求項１１に記載の組み合わせ。
【請求項１３】
それが、関連付けられる権利の有効性を保証するために、記録されているコンテンツ管理メッセージ内の使用規則を、受信機／デコーダを使用して加入者により獲得される権利を比較する手段を有することを特徴とする請求項１１または１２に記載の組み合わせ。